(57)【要約】【課題】使用者のプライベートコンテンツがユーザーの意図しない外部の記録媒体に送信、保存されることなくデータ転送を行うことができる通信機器を提供すること。【解決手段】ユーザーが他人が所有する中継装置を介して、自分のプライベートコンテンツをネットワーク上のサーバにアップロードする際に、中継装置に内蔵記録装置があるか否かでデータ転送先を変更する。これにより、ユーザーのプライベートコンテンツが他人の記録媒体に転送されてしまうのを防ぐことが可能になる。【選択図】図２
2017117031.tif 000002
【特許請求の範囲】
【請求項１】
ネットワーク上のサーバとの通信の中継を行う中継装置が存在し、前記中継装置を介してネットワーク上のサーバと情報を送受信することが可能な通信機器であって、
前記中継装置と認証処理を行うための情報を前記中継装置と送受信するための第一の通信手段と、
前記通信機器の有する情報を前記中継装置と送受信するための第二の通信手段と、
前記通信機器の有する情報を送信する送信先に関する送信先情報を記憶しておくための記憶手段と、
使用者が前記通信機器の有する送信先情報の中から所定の送信先を選択するための送信先選択手段と、
前記送信先選択手段によって、使用者に選択された前記通信機器の有する情報の送信先を他の送信先に切り替えるための送信先切り替え手段と、を備え、
前記認証処理の認証結果に基づいて、前記中継装置の内蔵記憶手段の有無を検出し、前記内蔵記憶手段が存在し、前記送信先選択手段によって使用者が情報の送信先に前記内蔵記憶手段を選択している場合には、前記送信先切り替え手段によって情報の送信先をネットワーク上のサーバに設定することを特徴とする通信機器。
【請求項２】
前記送信先選択手段により、使用者が前記通信機器の有する情報の送信先に予めネットワーク上のサーバを設定していた場合の前記通信機器の有する情報の保存先と、前記通信機器の有する情報の送信先に前記中継装置の内蔵記憶手段を選択しており、所定の条件によって前記情報の送信先をネットワーク上のサーバに切り替えた場合の前記通信機器の有する情報の保存先を同一の保存先としないことを特徴とする請求項１に記載の通信機器。
【請求項３】
使用者に前記通信機器からの指示を通知するための通知手段を更に備え、前記送信先選択手段により、使用者が前記通信機器の有する情報の送信先をネットワーク上のサーバに設定しており、前記記憶手段にネットワーク上のサーバに関する情報が記憶されていない場合には、新たなネットワーク上のサーバを前記通信機器の有する情報の送信先として作成する方法を使用者に通知することを特徴とする請求項１に記載の通信機器。
【請求項４】
前記送信先選択手段により、使用者が前記通信機器の有する情報の送信先をネットワーク上のサーバに設定しており、前記記憶手段にネットワーク上のサーバに関する情報が記憶されていない場合には、前記通信機器の有する情報の送信を行わないことを特徴とする請求項１に記載の通信機器。
【請求項５】
前記中継装置の内蔵記憶手段の容量を検出する検出手段を更に備え、前記送信先選択手段により、使用者が前記通信機器の有する情報の送信先を前記中継装置の内蔵記憶手段に設定しており、前記中継装置の内蔵記憶手段の残量が所定の容量以下であることを検出した場合、前記送信先切り替え手段によって前記通信機器の有する情報の送信先をネットワーク上のサーバに設定することを特徴とする請求項１記載の通信機器。
【請求項６】
前記認証処理を行う際に、第一の通信手段によって前記通信機器が前記中継機器から受信する情報の中に前記中継機器の位置情報を含むことを特徴とする請求項１に記載の通信機器。
【発明の詳細な説明】
【技術分野】
【０００１】
本発明は、ネットワークに接続して情報を送受信することが可能な通信機器に関する。
【背景技術】
【０００２】
近年、オンラインストレージサービスが注目を集めている。オンラインストレージサービスとは、インターネット経由のファイル保存サービスであり、使用者はＩＤやメールアドレス等を登録した後にファイルをアップロードすることが可能である。
【０００３】
特許文献１では、ネットワークに接続された装置間でファイル転送を行う際に、ユーザーがファイルの転送先を選択しファイルの転送を行うことで、ファイルを本来ファイルを格納すべき領域以外へ誤って転送することを防ぐことができる。
【先行技術文献】
【特許文献】
【０００４】
【特許文献１】特開２０１０−１２３０４２号公報
【発明の概要】
【発明が解決しようとする課題】
【０００５】
しかしながら、特許文献１記載の従来技術では、ファイルを転送する際に中継する装置が記憶媒体を有していた際の処理は考慮されていない。
【０００６】
よって、使用者のプライベートコンテンツが使用者の意図しないままに、外部の情報記録装置に転送されてしまう恐れがある。
【課題を解決するための手段】
【０００７】
上記の課題を解決するために、本発明に係る通信機器は、
ネットワーク上のサーバとの通信の中継を行う中継装置が存在し、前記中継装置を介してネットワーク上のサーバと情報を送受信することが可能な通信機器であって、前記中継装置と認証処理を行うための情報を前記中継装置と送受信するための第一の通信手段と、前記通信機器の有する情報を前記中継装置と送受信するための第二の通信手段と、前記通信機器の有する情報を送信する送信先に関する送信先情報を記憶しておくための記憶手段と、使用者が前記通信機器の有する送信先情報の中から所望の送信先を選択するための送信先選択手段と、前記送信先選択手段によって、使用者に選択された前記通信機器の有する情報の送信先を他の送信先に切り替えるための送信先切り替え手段と、を備え、前記認証処理の認証結果に基づいて、前記中継装置の内蔵記憶手段の有無を検出し、前記内蔵記憶手段が存在し、前記送信先選択手段によって使用者が情報の送信先に前記内蔵記憶手段を選択している場合には、前記送信先切り替え手段によって情報の送信先をネットワーク上のサーバに設定することを特徴とする。
【発明の効果】
【０００８】
本発明に係る通信機器によれば、使用者のプライベートコンテンツがユーザーの意図しない外部の記録媒体に送信、保存されることなくデータ転送を行うことができるようになる。
【図面の簡単な説明】
【０００９】
【図１】本発明の実施形態における通信システムの構成を示した図である。
【図２】本発明の第一の実施形態における通信機器１００の内部構成を示す図である。
【図３】本発明の第一の実施形態における中継装置２００の内部構成を示す図である。
【図４】本発明の第一の実施形態における通信機器１００と中継装置２００間のデータ転送処理を示したフローチャートである。
【図５】本発明の第一の実施形態における通信機器１００がデータ転送を行う処理を示したフローチャートである。
【図６】本発明の第一の実施形態における通信機器１００がネットワーク上のサーバに関する情報を持っていない場合の処理を示すフローチャートである。
【発明を実施するための形態】
【００１０】
以下に、本発明の好ましい実施の形態を、添付の図面に基づいて詳細に説明する。
【００１１】
（実施例１）
以下、本発明の第１の実施例による通信機器１００について、図面を参照しながら説明する。
【００１２】
図１は本発明における通信システムの構成を示す図である。
【００１３】
図１に示す通信システムは、デジタルスチルカメラ１００、携帯電話１１０、デジタルビデオカメラ１２０の通信機器と中継器２００とを備える。中継装置２００上に通信機器を置き、ＲＦＩＤ（Ｒａｄｉｏ  Ｆｒｅｑｕｅｎｃｙ  ＩＤｅｎｔｉｆｉｃａｔｉｏｎ）を用いた認証処理を行った後に、通信機器が格納するデータの送受信を行う。以後通信機器としてデジタルスチルカメラ１００を例に説明を行うが、携帯電話１１０、デジタルビデオカメラ１２０もそれぞれデジタルカメラ１００と同様の機能を実行可能である。
【００１４】
次に、図２は本発明におけるデジタルスチルカメラである通信機器１００の内部構成例を示す図である。
【００１５】
図２に示す通信機器１００は、制御部１０１、ＲＦタグ１０２、通信部１０３、撮像部１０４、ＲＯＭ１０５、ＲＡＭ１０６、記録部１０７、操作部１０８、通知部１０９で構成される。
【００１６】
制御部１０１は、ＲＦタグ１０２、通信部１０３、撮像部１０４、ＲＯＭ１０５、ＲＡＭ１０６、記録部１０７、操作部１０８、通知部１０９に接続され、これらの制御を行う。
【００１７】
ＲＦタグ１０２は、ＩＣチップが封入されたＩＣタグであり、通信機器１００を一意に特定可能な通信機器１００固有のＩＤ情報が記録されている。ＩＤ情報とは、例えば製造番号、製造者名、装置名、製造年月日、製造場所等の情報である。ＲＦタグ１０２は、ＩＣチップ部の他に、ＲＦリーダ２０２と送受信した情報のエンコード／デコードを行うための変換部とＩＣチップへの電力供給及び情報の送受信を行うためのアンテナ部等から構成される。通信機器１００が中継装置２００上に置かれた際に、ＲＦタグ１０２に記録されているＩＤ情報が、中継装置２００の有するＲＦタグリーダ２０２によって読み取られる。
【００１８】
通信部１０３は、ＲＯＭ１０５やＲＡＭ１０６、記録部１０７に格納されている映像データや音声データ等を中継装置２００に送信し、中継装置２００が有する通信部２０３から送信される映像データや音声データ等を受信することが可能である。例えば、通信部１０３はＵＳＢ（Ｕｎｉｖｅｒｓａｌ  Ｓｅｒｉａｌ  Ｂｕｓ）等のシリアルバスインターフェースやＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等のインターフェースを用いて映像データや音声データ等の送受信を行ってもよい。また、通信部１０３は無線通信方式に準拠した通信により映像データや音声データ等の送受信を行ってもよい。例えば、通信部１０３は無線ＬＡＮ規格に規定されている８０２．１１ａ、ｂ、ｇ、ｎ規格に準拠した方式に則り映像データや音声データ等の送受信を行ってもよい。
【００１９】
撮像部１０４は、被写体を撮影して得られたアナログデータをデジタルデータに変換し、圧縮処理を行う。撮像部１０４によって撮影された動画及び静止画データは一時的にＲＡＭ１０６に格納され、制御部１０１の指示によって記録部１０７に記録される。また、撮像部１０４は制御部１０１からの指示に基づいてズーム、フォーカス、絞り値設定、シャッタースピード設定等の制御も行う。なお、撮像部１０４は光学レンズ、撮像素子、画像処理部、エンコード処理部等で構成される。
【００２０】
ＲＯＭ１０５は、制御部１０１が実行する通信機器１００の各部の処理の制御を行うプログラムおよび、各部の処理に関するパラメータ値等の情報が格納されている。
【００２１】
ＲＡＭ１０６は、制御部１０１がＲＯＭ１０５に格納されているプログラムを実行する際に作業領域として使用するための揮発性メモリである。また、制御部１０１は、ＲＦタグ１０２及び通信部１０３によって中継装置２００から受信したデータや、ユーザーが操作部１０８より行った通信機器１００の設定等をＲＡＭ１０６に一時的に記録することが可能である。
【００２２】
記録部１０７は、撮像部１０４が取得した動画及び静止画データを記録する。また、記録部１０７は制御部１０１によって撮像部１０４が取得した動画及び静止画データを読み出し、ＲＡＭ１０６や通信部１０３に供給することや、ユーザーが操作部１０８より行った通信機器１００の設定を記録しておくことが可能である。記録部１０７は、例えば内蔵フラッシュメモリや、通信機器１００との着脱が可能なメモリーカード等の記録媒体である。
【００２３】
操作部１０８は、通信機器１００の各種操作要求をユーザーから受け付ける。ユーザーは、操作部１０８を介して通信機器１００の有するデータの転送先を設定することが可能である。具体的には、ユーザーはネットワーク上のサーバをデータ転送先に設定する際には、ＵＲＬ情報等を操作部１０８から入力することによって、通信機器１００の有する記録部１０７にネットワーク上のサーバの設定情報を記録する。ここでいうネットワーク上のサーバとは、例えばインターネット上でディスクスペースを貸し出すオンラインストレージサービス等である。
【００２４】
通知部１０９は、撮像部１０４が取得した動画及び静止画データや記録部１０７から読み出された動画及び静止画データ及びユーザーの操作のためのアイコン等を表示部に表示する。この際、表示するモニターは、通信機器１００が有するモニターでも、中継装置２００が有するモニターでも、中継装置２００と着脱可能な外部モニターでも構わない。さらに通知部１０９は、撮像部１０４が取得した動画データの音声、記録部１０７から読み出された動画データの音声、ユーザーの操作のための確認音や警告音をスピーカ部から出力してもよい。
【００２５】
なお、本実施例では通信機器１００はデジタルスチルカメラを例にとって説明しているが、通信部を有する機器であれば、携帯電話、デジタルビデオカメラ、音楽プレイヤ、タブレット端末や携帯ゲーム機等であってもよい。
【００２６】
次に、図３は本発明における中継装置２００の内部構成例を示す図である。
【００２７】
図３に示す中継装置２００は、制御部２０１、ＲＦタグリーダ２０２、通信部２０３、位置情報受信部２０４、ＲＯＭ２０５、ＲＡＭ２０６、記録部２０７、通知部２０８で構成される。
【００２８】
制御部２０１は、ＲＦタグリーダ２０２、通信部２０３、位置情報受信部２０４、ＲＯＭ２０５、ＲＡＭ２０６、記録部２０７、通知部２０８に接続され、これらの制御を行う。
【００２９】
ＲＦタグリーダ２０２は、通信機器１００が中継装置２００上に置かれた際にＲＦタグ１０２上の情報を読み取ることが可能である。ＲＦリーダ２０２は常に電波を発しており、ＲＦタグ１０２は、その電波の一部を反射し、その反射波に通信機器１００のＩＤ情報を乗せる。これによって、中継装置２００は通信機器１００を検出することが可能である。ＲＦタグリーダ２０２は、ＲＦタグ１０２に対して電力供給及び情報の送受信を行うためのアンテナ部、送受信した情報のエンコード／デコードを行うための変換部等で構成される。ＲＦタグリーダ２０２が通信機器１００の有するＲＦタグ１０２から受信する情報とは、通信機器１００を一意に特定可能なＩＤ情報であり、例えば製造番号、製造者名、装置名、製造年月日、製造場所等の情報である。また、ＲＦタグリーダ２０２がＲＦタグ１０２へ送信する情報としては、中継装置２００を一意に特定可能なＩＤ情報であり、例えば製造番号、製造者名、装置名、製造年月日、製造場所等の情報である。
【００３０】
通信部２０３は、ＲＡＭ２０６や記録部２０７に格納されている映像データや音声データ等を中継装置２００に送信し、通信機器１００の有する通信部１０３から送信される映像データや音声データ等を受信することが可能である。例えば、通信部２０３はＵＳＢ（Ｕｎｉｖｅｒｓａｌ  Ｓｅｒｉａｌ  Ｂｕｓ）等のシリアルバスインターフェースやＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等のインターフェースを用いて映像データや音声データ等の送受信を行ってもよい。また、通信部２０３は無線通信方式に準拠した通信により映像データや音声データ等の送受信を行ってもよい。例えば、通信部２０３は無線ＬＡＮ規格に規定されている８０２．１１ａ、ｂ、ｇ、ｎ規格に準拠した方式に則り映像データや音声データ等の送受信を行ってもよい。
【００３１】
位置情報受信部２０４は、ＧＰＳ（Ｇｌｏｂａｌ  Ｐｏｓｉｔｉｏｎｉｎｇ  Ｓｙｓｔｅｍ）で測位した位置情報であるＧＰＳ情報を受信し、制御部２０１へ供給する。ＧＰＳ情報とは、経度・緯度で表された座標情報であり、時間情報も含まれているものとする。この位置情報は、通信機器１００と中継装置２００の認証処理の際に、ユーザーが所有する中継装置２００であるか否かの確認の際に利用される。
【００３２】
ＲＯＭ２０５は、制御部２０１が実行する中継装置２００の各部の処理の制御を行うプログラムおよび、各部の処理に関するパラメータ値等の情報が格納されている。
【００３３】
ＲＡＭ２０６は、制御部２０１がプログラムを実行する際に作業領域として使用するための揮発性メモリである。また、ＲＡＭ２０６はＲＦタグリーダ２０２及び通信部２０３によって通信機器１００から受信したデータ等を一時的に記録することが可能であり、中継装置２００が通信を行う対象を通信機器毎に管理するための管理テーブルが格納されている。
【００３４】
記録部２０７は、制御部２０１によって通信機器１００からＲＦタグ１０２を介して受信した通信機器情報や、通信部１０３を介して受信した動画データや静止画データを記録する。また、記録部２０７は制御部２０１によって動画データや静止画データ等を読み出し、通信部２０３やＲＡＭ２０６に供給することも可能である。なお、記録部２０７はハードディスクやメモリーカード等であってもよく、中継装置２００に内蔵されていても、中継装置２００と着脱可能な外部の記録媒体であってもよい。
【００３５】
通知部２０８は、記録部２０７から読み出された動画データや静止画データ、ユーザーの操作のためのアイコン及び通信機器１００から受信した動画データ、静止画データ等を表示部に表示する。この際、表示するモニターは、通信機器１００が有するモニターでも、中継装置２００が有するモニターでも、中継装置２００と着脱可能な外部モニターでも構わない。さらに通知部２０８は、記録部２０７から読み出された動画データの音声やユーザーの操作のための確認音や警告音及び通信機器１００から受信した動画データ等の音声をスピーカ部から出力してもよい。
【００３６】
次に、図４を参照しながら、通信機器１００と中継装置２００間でのデータ伝送処理フローを説明する。
【００３７】
まず、Ｓ４０１において制御部１０１は記録部１０７にデータ転送先にネットワークサーバ上のサーバの設定情報が格納されているか否かを確認する。ユーザーによって操作部１０８を介してネットワーク上のサーバに関する設定が予め行われている場合には（Ｓ４０１、Ｙｅｓ）、Ｓ４０２に移行する。また、ユーザーによって操作部１０８を介してネットワーク上のサーバに関する設定が予め行われていない場合には（Ｓ４０１、Ｎｏ）、Ｓ４０３に移行する。
【００３８】
Ｓ４０２の処理１及び、Ｓ４０３の処理２は後述する。
【００３９】
次に、図５を参照しながら、通信機器１００が中継装置２００上に置かれてからデータ転送を行うまでのフローについて説明する。
【００４０】
まず、ユーザーが中継装置の上に通信機器１００を置くと、Ｓ５０１において、制御部２０１は、ＲＦタグリーダ２０２が新たに通信機器１００の有するＲＦタグ１０２からの応答を受信した際に、通信機器１００を検出したと判断する。この時、通信機器１００からはＲＦタグ１０２を通じて、通信機器１００を一意に識別可能なＩＤ情報が中継装置２００へ送信される。
【００４１】
続いてＳ５０２において、制御部１０１は操作部１０８を介してユーザーから受け付けた通信機器１００のデータ転送先の設定が、ネットワーク上のサーバに設定されているか否かを記録部１０７よりデータ転送先設定情報を読み出して判定する。
【００４２】
制御部１０１は、通信機器１００のデータの転送先がネットワーク上のサーバに設定されていると判定した場合には（Ｓ５０２、Ｙｅｓ）、ユーザーによって設定されたネットワーク上のサーバへデータ転送を行うよう、通信部１０３を介して中継装置２００の有する通信部２０３へデータ転送先設定情報を送信し（Ｓ５０３）、データ転送を開始する（Ｓ５１３）。制御部１０１が、通信機器１００のデータ転送先がネットワーク上のサーバに設定されていないと判定した場合には（Ｓ５０２、Ｎｏ）、Ｓ５０４へと移行する。
【００４３】
続いて、Ｓ５０４において、通信機器１００と中継装置２００間での認証処理を行う。ＲＦタグ１０２は、ＲＦタグリーダ２０２から中継地装置２００を一意に特定可能なＩＤ情報を受信する。
【００４４】
制御部１０１は、予めユーザーによって操作部１０８を介して設定された、記録部１０７に格納されている中継機器２００のＩＤ情報と、Ｓ５０４において受信した中継装置２００のＩＤ情報を比較する。
【００４５】
比較した中継装置２００のＩＤ情報が同一の場合には（Ｓ５０５、Ｙｅｓ）、制御部１０１はＳ５０４で受信した中継装置２００のＩＤ情報より、中継装置２００が内蔵記憶装置を有しているかを判定する。
【００４６】
制御部１０１は、中継装置２００が内蔵記憶装置を有していると判定した場合には（Ｓ５０６、Ｙｅｓ）、制御部１０１はＳ５０４で受信した中継装置２００のＩＤ情報から、中継装置２００の有する内蔵記憶装置の容量及び残量を検出する。
【００４７】
中継装置２００の有する内蔵記憶装置の残量がこれから通信機器１００が送ろうとしているデータ容量以上の場合には（Ｓ５０７、Ｙｅｓ）、制御部１０１はユーザーによって設定された中継装置２００が有する内蔵記憶装置へデータ転送を行うよう、通信部１０３を介して中継装置２００の有する通信部２０３へデータ転送先設定情報を送信し（Ｓ５０９）、データ転送を開始する（Ｓ５１３）。
【００４８】
中継装置２００の有する内蔵記憶装置の残量がこれから通信機器１００が送ろうとしているデータ容量以下の場合は（Ｓ５０７、Ｎｏ）、制御部１０１はユーザーにデータ転送先を変更する旨を通知部１０９を用いて通知してから、データ転送先変更要求を通信部１０３を通じて中継装置２００に送信し（Ｓ５０８）、データ転送を開始する（Ｓ５１３）。ユーザーへの具体的な通知方法は、本実施例ではモニターにデータの転送先を変更する旨の表示を出すこととするが、例えば確認音・警告音を発する、または「データの転送先を〜に変更します」等のガイダンスを流しても良い。
【００４９】
制御部１０１が、中継装置２００が内蔵記憶装置を有していないと判断した場合には（Ｓ５０６、Ｎｏ）、ユーザーに問い合わせを行う（Ｓ５１０）。本実施例では、モニターに中継装置２００に内蔵記憶装置がない旨の表示を出すこととするが、例えばユーザーに対して確認音・警告音を発する、もしくは「中継装置２００は内蔵記憶装置を有していません」等のガイダンスを流しても良い。
【００５０】
通信機器１００の有する記録部１０７に中継装置２００のＩＤ情報が格納されていなかった場合は（Ｓ５０５、Ｎｏ）、制御部１０１はＳ５０４で受信した中継装置２００のＩＤ情報より、中継装置２００が内蔵記憶装置を有しているかを判定する（Ｓ５１１）。
【００５１】
制御部１０１は、中継装置２００が内蔵記憶装置を有していると判定した場合には（Ｓ５１１、Ｙｅｓ）、ユーザーに問い合わせを行い（Ｓ５１０）、Ｓ５１３においてユーザーの指示に応じてデータの転送を開始する。制御部１０１が、中継装置２００が内蔵記憶装置を有していないと判断した場合には（Ｓ５１１、Ｎｏ）、制御部１０１はユーザーにデータ転送先を変更する旨を通知部１０９を用いて通知してから、データ転送先変更要求を通信部１０３を通じて中継装置２００に送信する（Ｓ５１２）。ユーザーへの具体的な通知方法は、本実施例ではモニターにデータの転送先を変更する旨の表示を出すこととするが、例えば確認音・警告音を発する、または「データの転送先を〜に変更します」等のガイダンスを流しても良い。
【００５２】
Ｓ５１２において、データの転送先の変更を行った後に、制御部１０１は通信部１０３を介して中継装置２００へデータ転送を開始する（Ｓ５１３）。
【００５３】
続いてＳ５１４において、データ転送の終了条件は、例えば制御部２０１が通信部２０３を介して受信したデータを全て記録部２０７へ格納した時であり、制御部２０１は通信部２０３を介してデータ転送終了通知を通信機器１００へ送信する。通信機器１００が通信部１０３を介してデータ転送終了通知を受信した場合（Ｓ５１４、Ｙｅｓ）、データ転送は終了となる（Ｓ５１５）。
【００５４】
Ｓ４１２において、何らかのエラーが発生し、データ転送を終了できなかった場合には、制御部２０１は通信部２０３を介してエラー通知を通信機器１００へ送信する。通信機器１００が通信部１０３を介してエラー通知を受信した場合（Ｓ５１４、Ｎｏ）、制御部１０１は通知部１０９を介してユーザーにエラーを通知する（Ｓ５１６）。具体的には、本実施例では、モニターにエラーメッセージ等の表示を出すこととするが、例えば確認音・警告音を発する、もしくは「データ転送に失敗しました」等のガイダンスを流しても良い。
【００５５】
また、制御部１０１は、Ｓ５０３を経由してデータを転送する際のデータの保存先と、Ｓ５１２を経由してデータを転送する際のデータの保存先を区別することが可能である。具体的には、データの保存先のフォルダ名を変更する等である。これにより、ユーザーが予め設定しておいたネットワーク上のサーバに送信したデータなのか、通信機器１００によりデータ転送先の変更が行われてから送信を行ったデータなのかを容易に判断することができる。
【００５６】
次に、図６を参照しながら、通信機器１００にデータ転送先のネットワーク上のサーバに関する設定が行われていない場合の処理を示すフローを説明する。
【００５７】
まず、Ｓ６０１、Ｓ６０２はＳ５０１、Ｓ５０２と同様の処理である。
【００５８】
Ｓ６０２において、制御部１０１は、通信機器１００のデータの転送先がネットワーク上のサーバに設定されていると判定した場合には（Ｓ６０２、Ｙｅｓ）、記録部１０７にネットワーク上のサーバに関する情報が格納されているかどうかの確認を行う（Ｓ６０３）。ネットワーク上のサーバに関する情報とは、具体的にはデータをアップロードするサーバを指定するためのＵＲＬ等である。
【００５９】
記録部１０７にデータ転送先にネットワーク上のサーバを設定するための情報が格納されていた場合には（Ｓ６０３、Ｙｅｓ）、制御部１０１はユーザーによって設定されたネットワーク上のサーバへデータ転送を行うよう、通信部１０３を介して中継装置２００の有する通信部２０３へデータ転送先設定情報を送信し（Ｓ６０４）、ネットワーク上のサーバへデータの転送を開始する（Ｓ６１７）。
【００６０】
記録部１０７にデータ転送先にネットワーク上のサーバを設定するための情報が格納されていなかった場合には（Ｓ６０３、Ｎｏ）、制御部１０１は通知部１０９を介してユーザーにデータ転送を行うか否かを問う。ユーザーが操作部１０８より、データ転送を中止するよう指示をした場合（Ｓ６０５、Ｙｅｓ）、制御部１０１はデータ転送中止要求を通信部１０３を通じて中継機器２００に送信し、本処理を終了する（Ｓ６０６）。
【００６１】
ユーザーが操作部１０８よりデータ転送を続けるよう指示をした場合（Ｓ６０５、Ｎｏ）、制御部１０１は通知部１０９を用いて新規にネットワーク上のサーバを設定するようユーザーにガイドを表示する。具体的には、利用可能なオンラインストレージサービスのＵＲＬ等をモニターに表示し、オンラインストレージサービスの利用登録が完了するまでの手順をユーザーに指示し（Ｓ６０７）、ユーザーに操作部１０８から新たなデータ転送先の設定を行ってもらう（Ｓ６０８）。
【００６２】
続いてＳ６０９において、制御部１０１はＳ６０８でユーザーにより設定された新たなデータ転送先にデータを転送するよう、通信部１０３を介して中継器２００の有する通信部２０３へデータ転送先設定情報を送信し、データ転送を開始する（Ｓ６１７）。
【００６３】
制御部１０１が、通信機器１００のデータの転送先がネットワーク上のサーバに設定されていないと判定した場合には（Ｓ６０２、Ｎｏ）、Ｓ６１０へと移行する。Ｓ６１０は、Ｓ５０４と同様の処理である。
【００６４】
Ｓ６１１、Ｓ６１２、Ｓ６１３、Ｓ６１４、Ｓ６１５、Ｓ６１６、Ｓ６１７、Ｓ６１８、Ｓ６１９、Ｓ６２０の処理は、Ｓ５０５、Ｓ５０６、Ｓ５０７、Ｓ５１０、Ｓ５１１、Ｓ５１２、Ｓ５１３、Ｓ５１４、Ｓ５１５、Ｓ５１６の処理とそれぞれ同様のものである。
【符号の説明】
【００６５】
１００  通信機器、１０１  制御部、１０２  ＲＦタグ、１０３  通信部、
１０７  記録部、１０８  操作部、１０９  通知部、２００  中継装置、
２０１  制御部、２０２  ＲＦタグリーダ、２０３  通信部、２０４  位置情報受信部、
２０７  記憶部、２０８  通知部
【図１】
2017117031.tif 000003
【図２】
2017117031.tif 000004
【図３】
2017117031.tif 000005
【図４】
2017117031.tif 000006
【図５】
2017117031.tif 000007
【図６】
2017117031.tif 000008